(57)【要約】【課題】オペレータが手足を開閉窓から外側に出すことを、桟等の別部材の取り付けを必要とすることなく、有効に防止ことのできる作業機械用操作室の窓構造を提供する。【解決手段】ガラス板４２ｂは、開口部４２ａの縁部に回転自在に支持され、開口部４２ａが設けられた左側面部３２の最も幅方向外側に張り出した部分よりも操作室３０内側の範囲内で開閉動作を行うようにしている。これにより、開状態の開口部４２ａを開放した状態のガラス板４２ｂが操作室３０外を移動するブーム２２等の部材と接触することを防止することができるとともに、ガラス板４２ｂの下端と開口部４２ａの下縁部との間からオペレータの手足を操作室３０の外面から外側に出すことを困難とすることができるので、オペレータが手足を操作室３０外に出すことを防ぐために、操作室３０の外面に桟等の別部材を取り付ける必要がなく、製造コストの低減を図ることが可能となる。【選択図】図３
2012056475.tif 000002
【特許請求の範囲】
【請求項１】
操作室の側面に設けられた開口部をカバー部材によって開閉可能な建設機械用操作室の窓構造において、
前記カバー部材は、開口部の縁部に回転自在に支持され、開口部が設けられた側面の最も外側に張り出した部分よりも室内側の範囲内で開閉動作を行う
ことを特徴とする作業機械用操作室の窓構造。
【請求項２】
前記カバー部材は、下端側が外側に移動することによって開口部を開放する
ことを特徴とする請求項１記載の作業機械用操作室の窓構造。
【請求項３】
前記開口部に対する前記カバー部材の回転範囲を規制可能に前記カバー部材と前記開口部の縁部とを連結するとともに、前記カバー部材の閉鎖姿勢及び開放姿勢を保持可能な開閉リンク機構を備えた
ことを特徴とする請求項１または２記載の作業機械用操作室の窓構造。
【請求項４】
前記開口部は、前記操作室の側面の上部に設けられている
ことを特徴とする請求項１乃至３のいずれか１項記載の建設機械用操作室の窓構造。
【発明の詳細な説明】
【技術分野】
【０００１】
本発明は、例えば、移動式クレーン等の作業機械の操作室に用いられる作業機械用操作室の窓構造に関する。
【背景技術】
【０００２】
従来、この種の作業機械用操作室の窓構造では、作業の際に動作する部材が隣り合う操作室の側面の窓からオペレータが手足を開閉窓から外側に出すことを防止するために、開閉サッシ窓の枠の外部側に、互いに上下方向に間隔をおいて複数の桟を配置したものが知られている（例えば、引用文献１）。
【先行技術文献】
【特許文献】
【０００３】
【特許文献１】実開平５−５７０４５号公報
【発明の概要】
【発明が解決しようとする課題】
【０００４】
前記操作室の窓構造では、別部材としての桟を操作室の外面に取り付ける必要があるため、部品点数が多くなるとともに、部品を組み立てる作業の工数が多く必要となる。
【０００５】
本発明は、オペレータが手足を開閉窓から外側に出すことを、桟等の別部材の取り付けを必要とすることなく、有効に防止ことのできる作業機械用操作室の窓構造を提供することを目的とする。
【課題を解決するための手段】
【０００６】
本発明の請求項１に記載の発明は、操作室の側面に設けられた開口部をカバー部材によって開閉可能な建設機械用操作室の窓構造において、前記カバー部材は、開口部の縁部に回転自在に支持され、開口部が設けられた側面の最も外側に張り出した部分よりも室内側の範囲内で開閉動作を行うことを特徴とする。
【０００７】
また、本発明の請求項２に記載の発明は、請求項１の作業機械用操作室の窓構造において、前記カバー部材は、下端側が外側に移動することによって開口部を開放することを特徴とする。
【０００８】
また、本発明の請求項３に記載の発明は、請求項１または２の作業機械用操作室の窓構造において、前記開口部に対する前記カバー部材の回転範囲を規制可能に前記カバー部材と前記開口部の縁部とを連結するとともに、前記カバー部材の閉鎖姿勢及び開放姿勢を保持可能な開閉リンク機構を備えたことを特徴とする。
【０００９】
また、本発明の請求項４に記載の発明は、請求項１乃至３のいずれかの作業機械用操作室の窓構造において、前記開口部は、前記操作室の側面の上部に設けられていることを特徴とする。
【発明の効果】
【００１０】
本発明の請求項１によれば、開状態の開口部を開放した状態のカバー部材が操作室外で動作する部材と接触することを防止することができるとともに、カバー部材と開口部の縁部との間からオペレータの手足を操作室の外面から外側に出すことを困難とすることができるので、オペレータが手足を操作室外に出すことを防ぐために、操作室の外面に桟等の別部材を取り付ける必要がなく、製造コストの低減を図ることが可能となる。
【００１１】
本発明の請求項２によれば、砂や小石等の落下物及び雨が開口部から操作室内に侵入することを防止することができるので、操作室内の電子機器等の汚れや故障を防止することができる。
【００１２】
本発明の請求項３によれば、開閉リンク機構によってカバー部材の開放範囲外の回転を規制すると同時に、カバー部材の閉鎖状態及び開放状態を保持することができるので、カバー部材の回転の規制とカバー部材の開放状態及び閉鎖状態の保持とを別の機構を用いて行う必要はなく、部品点数を低減することができる。
【００１３】
本発明の請求項４によれば、操作室内のオペレータが手足を操作室外に一層出し難くなるため、より安全性を向上させることが可能となる。
【図面の簡単な説明】
【００１４】
【図１】本発明の一実施形態を示す移動式クレーンの全体斜視図である。
【図２】操作室の左側面図である。
【図３】操作室の正面断面図である。
【図４】開閉窓の開閉リンク機構を示す図である。
【発明を実施するための形態】
【００１５】
図１乃至図４は、本発明の一実施形態を示すものである。
【００１６】
本発明の操作室の窓構造を備えた移動式クレーン１は、図１に示すように、走行する車両１０と、クレーン装置２０と、を備えている。
【００１７】
車両１０は、前部及び後部のそれぞれに左右一対の車輪１１を有し、エンジンを動力源として走行する。また、車両１０の前部側及び後部側の左右両側には、クレーン作業時に車両１０の転倒を防止するとともに、車両１０を安定的に支持するためのアウトリガ１２が設けられている。
【００１８】
クレーン装置２０は、車両１０の前後方向中央部に水平方向に旋回可能に設けられた旋回台２１と、旋回台２１に対して起伏可能に設けられるとともに、伸縮可能に設けられたブーム２２と、旋回台２１に設けられ、車両１０の走行に関する操作とクレーン装置２０に関する操作を行う操作室３０と、を有している。
【００１９】
旋回台２１は、ボールベアリング式やローラーベアリング式の図示しない旋回サークルによって車両１０に対して旋回自在に設けられ、図示しない旋回用の油圧モータの駆動によって旋回するように構成されている。
【００２０】
ブーム２２は、複数のブーム部材からなり、ブーム部材の内部に先端側に隣り合うブーム部材が収納可能に設けられている。最基端側のブーム部材（ベースブーム）２２ａ内には、図示しない油圧シリンダが設けられ、油圧シリンダの伸縮によってブーム２２が伸縮される。また、最基端側のブーム部材２２ａは、基端部が旋回台２１のブラケット２１ａに上下方向に回転自在に連結されている。ブーム部材２２ａの伸長方向中央部とブラケット２１ａには、起伏用の油圧シリンダ２４の両端がそれぞれ連結され、油圧シリンダ２４の伸縮によってブーム２２が起伏される。
【００２１】
操作室３０は、ブラケット２１ａの右側方に位置する旋回台２１の上面に設けられている。操作室３０は、箱型に形成され、内部に図示しないオペレータが着座するシートや操作レバー等が設けられている。
【００２２】
操作室３０は、前後方向を長手方向とした略矩形状の床面部３１と、床面部３１の左右両端側から上方に延びる左側面部３２及び右側面部３３と、床面部３１の前後両側から上方に延びる前面部３４及び後面部３５と、左側面部３２、右側面部３３、前面部３４及び後面部３５の上端側に設けられた上面部３６とを有している。床面部３１、左側面部３２、右側面部３３、前面部３４、後面部３５及び上面部３６は、それぞれ薄鋼板を板金加工することによって形成され、互いに溶接やネジ止めすることによって接続されている。また、左側面部３２、右側面部３３、前面部３４、後面部３５及び上面部３６には、内部のオペレータから外部を広範囲に視認可能なように複数の窓４０が設けられている。
【００２３】
また、ブーム２２が隣り合う操作室３０の左側面部３２は、図２に示すように、上下方向中央部に設けられ、開閉不能な固定窓４１と、固定窓４１の上方に設けられ、開閉可能な開閉窓４２と、を有している。
【００２４】
固定窓４１は、左側面部３２の上下方向中央部の前後方向の前側から中央部側に亘って形成された開口部４１ａに透明なガラス板４１ｂが固定されているものである。固定窓４１は、操作室３０内から外部を視認するために設けられているものであり、開口部４１ａを開閉するものではない。
【００２５】
開閉窓４２は、固定窓４１の上方を前後方向に延びる開口部４２ａと、開口部４２ａを開閉するカバー部材としての透明なガラス板４２ｂと、を有している。ガラス板４２ｂは、上端が開口部４２ａの上縁部に支軸４２ｃを介して回転自在に支持され、下端側が幅方向外側に向かって回転することによって開口部４２ａを開放する。また、ガラス板４２ｂの下端側と開口部４２ａの下縁部とは、ガラス板４２ｂの開口部４２ａを閉鎖した状態及び開放した状態を保持可能に、開閉リンク機構５０によって連結されている。
【００２６】
開閉リンク機構５０は、図４に示すように、ガラス板４２ｂ側に連結された第１リンク部材５１と、開口部４２ａの下縁側に連結された第２リンク部材５２と、を有している。
【００２７】
第１リンク部材５１は、一端側がガラス板４２ｂの操作室３０内面側に回転自在に連結され、他端側が第２リンク部材５２の一端側に回転自在に連結されている。また、第１リンク部材５１には、後述する第２リンク部材５２に設けられた係合ピンに係合することによって、ガラス板４２ｂの開口部４２ａを閉鎖した状態を保持する閉鎖用係合片５１ａと、ガラス板４２ｂの開口部４２ａを開放した状態を保持する開放用係合片５１ｂと、が設けられている。
【００２８】
第２リンク部材５２は、一端が第１リンク部材５１の他端側に連結され、他端が開口部４２ａの下縁部の操作室３０内面側に回転自在に連結されている。また、第２リンク部材５２には、前後方向に延びるように設けられ、閉鎖用係合片５１ａ及び開放用係合片５１ｂが係合可能な係合ピン５２ａが設けられている。
【００２９】
ガラス板４２ｂは、左側面部３２の最も幅方向外側に張り出した部分よりも内側の範囲内で開閉動作するように、開閉リンク機構５０によって回転する範囲が規制されている。図３に示すように、左側面部３２は、上下方向中央部が幅方向外側に張り出すように湾曲しており、ガラス板４２ｂは、左側面部３２の上下方向中央部よりも幅方向外側に突出しないように回転が規制される。
【００３０】
以上のように構成された作業機械用運転室の窓構造において、ガラス板４２ｂの開口部４２ａを開閉する操作は、第１リンク部材５１の他端側を保持して上下方向に回転させることによって行われる。係合ピン５２ａに閉鎖用係合片５１ａが係合していると、図４（ａ）に示すように、ガラス板４２ｂの開口部４２ａを閉鎖した状態が保持される。また、係合ピン５２ａに開放用係合片５１ｂが係合していると、図４（ｂ）に示すように、ガラス板４２ｂの開口部４２ａを開放した状態が保持される。ガラス板４２ｂの開口部４２ａを開放した状態において、ガラス板４２ｂの下端側は、左側面部３２の上下方向中央部よりも幅方向外側に突出することはなく、ガラス板４２ｂが起伏動作するブーム部材２２ａに接触することはない。
【００３１】
このように、本実施形態の作業機械用操作室構造によれば、ガラス板４２ｂは、開口部４２ａの縁部に回転自在に支持され、開口部４２ａが設けられた左側面部３２の最も幅方向外側に張り出した部分よりも操作室３０内側の範囲内で開閉動作を行うようにしている。これにより、開状態の開口部４２ａを開放した状態のガラス板４２ｂが操作室３０外を移動するブーム２２等の部材と接触することを防止することができるとともに、ガラス板４２ｂの下端と開口部４２ａの下縁部との間からオペレータの手足を操作室３０の外面から外側に出すことを困難とすることができるので、オペレータが手足を操作室３０外に出すことを防ぐために、操作室３０の外面に桟等の別部材を取り付ける必要がなく、製造コストの低減を図ることが可能となる。
【００３２】
また、ガラス板４２ｂは、下端側が幅方向外側に移動することによって開口部４２ａを開放するようにしている。これにより、砂や小石等の落下物及び雨が開口部４２ａから操作室３０内に侵入することを防止することができる。したがって、操作室３０内の電子機器等の汚れや故障を防止することができる。
【００３３】
また、開口部４２ａに対するガラス板４２ｂの回転範囲を規制可能にガラス板４２ｂと開口部４２ａの下縁部を連結するとともに、ガラス板４２ｂの閉鎖状態及び開放状態を保持可能な開閉リンク機構５０を備えている。これにより、開閉リンク機構５０によってガラス板４２ｂの開放状態以上の範囲の回転を規制すると同時に、ガラス板４２ｂの閉鎖状態及び開放状態を保持することができるので、ガラス板４２ｂの回転の規制とガラス板４２ｂの開放状態及び閉鎖状態の保持とを別の機構を用いて行う必要はなく、部品点数を低減することができる。
【００３４】
また、開閉窓４２の開口部４２ａを操作室３０の上部に設けている。これにより、操作室３０内のオペレータが手足を操作室３０外に一層出し難くなるため、より安全性を向上させることが可能となる。
【００３５】
尚、前記実施形態では、移動式クレーン１において、ブーム２２が隣り合う操作室３０の左側面部３２に開閉窓４２を設けたものを示したが、これに限られるものではない。例えば、油圧ショベルにおいて、アームが隣り合う操作室の側面部に開閉窓を設けるようにしてもよい。したがって、移動式クレーン１以外の作業機械であっても、作業の際に動作する部材が隣り合う操作室の側面部に開閉窓を設けるようにすれば、前記実施形態と同様の効果を得ることが可能となる。
【００３６】
また、前記実施形態では、ガラス板４２ｂを外側に回転させて開口部４２ａを開放するようにしたものを示している。しかし、ガラス板４２ｂを内側に回転させて開口部４２ａを開放する場合には、内側に回転する角度を規制すれば、開状態の開口部４２ａを開放した状態のガラス板４２ｂが操作室３０外を移動するブーム２２等の部材と接触することを防止することができるとともに、ガラス板４２ｂの端部と開口部４２ａの縁部との間からオペレータの手足を操作室３０の外面から外側に出すことを困難となるように構成することができる。
【００３７】
また、前記実施形態では、ガラス板４２ｂの上端を開口部４２ａの上縁部に回転自在に支持したものを示したが、これに限られるものではない。ガラス板４２ｂの左右両端部の上下方向中央部が開口部４２ａの左右両縁部に回転自在に支持されていても、ガラス板４２ｂの開口部４２ａを開放した姿勢が操作室３０の室外に向かって下り傾斜となっていれば、砂や小石、雨等の操作室３０内への侵入を防止することができる。
【００３８】
また、開口部４２ａを透明なガラス板４２ｂによって開閉するようにしたものを示したが、これに限られるものではなく、例えば、透明でない板状部材によって開口部４２ａを開閉するようにしてもよい。
【００３９】
また、ガラス板４２ｂの開口部４２ａの開閉を、開口部４２ａに対してガラス板４２ｂの開放範囲外の回転を規制可能にガラス板４２ｂと開口部４２の下縁部を連結し、ガラス板４２ｂの閉鎖状態及び開放状態を保持可能な開閉リンク機構５０によって行うようにしたものを示したが、これに限られるものではない。例えば、ガラス板４２ｂと開口部４２ａの縁部との間にステーを介在させることによってガラス板４２ｂの開放状態を保持するようにしてもよい。
【符号の説明】
【００４０】
１              移動式クレーン
１０            車両
２０            クレーン装置
２１            旋回台
２２            ブーム
３０            操作室
３２            左側面部
４０            窓
４２            開閉窓
４２ａ          開口部
４２ｂ          ガラス板
５０            開閉リンク機構
５１            第１リンク部材
５１ａ          閉鎖用係合片
５１ｂ          開放用係合片
５２            第２リンク部材
５２ａ          係合ピン
【図１】
2012056475.tif 000003
【図２】
2012056475.tif 000004
【図３】
2012056475.tif 000005
【図４】
2012056475.tif 000006